(57)【要約】【課題】光学設計の自由度の向上を図ること。【解決手段】絞り開口２０５を形成する複数の絞り羽根１１７を支持するカム座２０１と、複数の絞り羽根１１７に連結されるとともに回動して複数の絞り羽根１１７を変位させることによって絞り開口２０５の開口径を調整する動輪３００と、レンズの外周側を保持するとともに光軸方向における一端側においてカム座２０１および動輪３００を支持する第３レンズ枠１１０と、動輪３００と第３レンズ枠１１０とに連結されて複数の絞り羽根１１７を開口径を大きくする方向または小さくする方向へ付勢する付勢力を作用させる引っ張りバネ２２０と、を備えた絞り機構において、引っ張りバネ２２０を、光軸方向において第３レンズ枠１１０と重複する位置であるとともに、第３レンズ枠１１０におけるレンズの有効径よりも外周側であってかつ第３レンズ枠１１０の外径よりも内周側に配置した。【選択図】図４
2009216927.tif 000002
【特許請求の範囲】
【請求項１】
絞り開口を形成する複数の絞り羽根を光軸を横切る方向に変位可能に支持する支持部材と、
前記光軸を中心として前記支持部材に対して相対的に回動可能な状態で前記複数の絞り羽根に連結され、回動して前記複数の絞り羽根を変位させることによって前記絞り開口の開口径を調整する動輪と、
レンズの外周側を保持するとともに光軸方向における一端側において前記支持部材および前記動輪を支持するレンズ保持筒と、
前記動輪と前記レンズ保持筒とに連結されて前記複数の絞り羽根を前記開口径を大きくする方向または小さくする方向へ付勢する付勢力を作用させる付勢部材と、
を備え、
前記付勢部材は、前記光軸方向において前記レンズ保持筒と重複する位置であるとともに、前記レンズ保持筒における前記レンズの有効径よりも外周側であってかつ前記レンズ保持筒の外径よりも内周側に配置されていることを特徴とする絞り機構。
【請求項２】
前記レンズ保持筒における前記レンズの有効径よりも外周側であってかつ前記レンズ保持筒の外径よりも内周側に設けられて、前記光軸方向における前記付勢部材の位置を規制するガイド部材を備えたことを特徴とする請求項１に記載の絞り機構。
【請求項３】
前記ガイド部材は、前記光軸方向における一端側または他端側の少なくとも一方から前記光軸方向における前記付勢部材の位置を規制することを特徴とする請求項２に記載の絞り機構。
【請求項４】
前記ガイド部材は、前記光軸を中心とする円周に沿って前記一端側および他端側から交互に、前記光軸方向における前記付勢部材の位置を規制することを特徴とする請求項３に記載の絞り機構。
【請求項５】
光軸方向に移動可能な光学部材と、
前記光学部材の光軸と同一の光軸上に設けられた請求項１〜４のいずれか一つに記載の絞り機構と、
少なくとも前記光学部材を前記光軸方向に移動させる移動機構と、
を備えたことを特徴とするレンズ装置。
【請求項６】
前記光学部材は複数設けられており、
前記移動機構によって少なくとも前記光学部材を前記光軸方向に移動させることによって光路長の変更が可能であることを特徴とする請求項５に記載のレンズ装置。
【請求項７】
撮像用の光電変換素子と、
前記撮像素子に外光を入射させる請求項５または６に記載のレンズ装置と、
を備えたことを特徴とする撮像装置。
【発明の詳細な説明】
【技術分野】
【０００１】
この発明は、絞り開口の開口径を調整可能な絞り機構、当該絞り機構を備えたレンズ装置および当該レンズ装置を備えた撮像装置に関する。
【背景技術】
【０００２】
従来、光軸方向に沿ったレンズ群の移動に応じて一方向に直進移動する直進筒に、カム面を有する開放径補正キーを固定し、カム面に係合する回転連動部材をカム面との係合位置に応じて光軸まわりに回転させることによって絞り開放径を変更するようにした技術があった（たとえば、下記特許文献１を参照。）。
【０００３】
【特許文献１】特開２００５−９１７３１号公報
【発明の開示】
【発明が解決しようとする課題】
【０００４】
しかしながら、上述した特許文献１に記載の技術では、光軸方向を長手方向とする開放径補正キーを設けるための設置スペースを確保しなくてはならず、光学設計の自由度が限られるという問題があった。
【０００５】
この発明は、上述した従来技術による問題点を解消するため、光学設計の自由度の向上を図ることができる絞り機構、レンズ装置および撮像装置を提供することを目的とする。
【課題を解決するための手段】
【０００６】
上述した課題を解決し、目的を達成するため、この発明にかかる絞り機構は、絞り開口を形成する複数の絞り羽根を光軸を横切る方向に変位可能に支持する支持部材と、前記光軸を中心として前記支持部材に対して相対的に回動可能な状態で前記複数の絞り羽根に連結され、回動して前記複数の絞り羽根を変位させることによって前記絞り開口の開口径を調整する動輪と、レンズの外周側を保持するとともに光軸方向における一端側において前記支持部材および前記動輪を支持するレンズ保持筒と、前記動輪と前記レンズ保持筒とに連結されて前記複数の絞り羽根を前記開口径を大きくする方向または小さくする方向へ付勢する付勢力を作用させる付勢部材と、を備え、前記付勢部材は、前記光軸方向において前記レンズ保持筒と重複する位置であるとともに、前記レンズ保持筒における前記レンズの有効径よりも外周側であってかつ前記レンズ保持筒の外径よりも内周側に配置されていることを特徴とする。
【０００７】
この発明によれば、絞り機構およびレンズ保持筒の光軸方向における位置を一部重複させることができるので、絞り機構の設置のために要する光軸方向における寸法を小さくすることができる。
【０００８】
また、この発明にかかる絞り機構は、上記の発明において、前記レンズ保持筒における前記レンズの有効径よりも外周側であってかつ前記レンズ保持筒の外径よりも内周側に設けられて、前記光軸方向における前記付勢部材の位置を規制するガイド部材を備えたことを特徴とする。この発明によれば、絞り機構の設置のために要する光軸方向における寸法を小さくしつつ、付勢部材を安定して保持することができる。
【０００９】
また、この発明にかかる絞り機構は、上記の発明において、前記ガイド部材が、前記光軸方向における一端側または他端側の少なくとも一方から前記光軸方向における前記付勢部材の位置を規制することを特徴とする。この発明によれば、光軸方向における一端側および他端側の両側から付勢部材の位置を規制することができるので、付勢部材を安定して保持することができる。
【００１０】
また、この発明にかかる絞り機構は、上記の発明において、前記ガイド部材が、前記光軸を中心とする円周に沿って前記一端側および他端側から交互に、前記光軸方向における前記付勢部材の位置を規制することを特徴とする。この発明によれば、光軸方向における両側から付勢部材の位置を規制することができるので、付勢部材を安定して保持することができる。
【００１１】
また、この発明にかかるレンズ装置は、光軸方向に移動可能な光学部材と、前記光学部材の光軸と同一の光軸上に設けられた上記の絞り機構と、少なくとも前記光学部材を前記光軸方向に移動させる移動機構と、を備えたことを特徴とする。この発明によれば、絞り機構の設置のために要する光軸方向における寸法を小さくし、レンズ装置全体の光軸方向における寸法を小さくすることができる。
【００１２】
また、この発明にかかるレンズ装置は、上記の発明において、前記光学部材は複数設けられており、前記移動機構によって少なくとも前記光学部材を前記光軸方向に移動させることによって光路長の変更が可能であることを特徴とする。この発明によれば、たとえばズームレンズのように望遠状態においては長い光路長を確保しつつも、広角状態や非使用状態においてはレンズ群間の距離を短くすることができる。
【００１３】
また、この発明にかかる撮像装置は、撮像用の光電変換素子と、前記撮像素子に外光を入射させる上記のレンズ装置と、を備えたことを特徴とする。この発明によれば、光軸方向における寸法を小さくしたレンズ装置を用いて、撮像装置の小型化を図ることができる。
【発明の効果】
【００１４】
本発明にかかる絞り機構、レンズ装置および撮像装置によれば、絞り機構の設置のために要する光軸方向における寸法を小さくすることができ、絞り機構の設置位置を確保するために生じるレンズ保持筒の設置位置の制限をなくすことができる。これによって、光学設計の自由度の向上を図ることができるという効果を奏する。
【発明を実施するための最良の形態】
【００１５】
以下に添付図面を参照して、この発明にかかる絞り機構、レンズ装置および撮像装置の好適な実施の形態を詳細に説明する。
【００１６】
（実施の形態１）
まず、この発明にかかる実施の形態１のレンズ装置について説明する。図１および図２は、この発明にかかる実施の形態１のレンズ装置を示す説明図である。図１および図２においては、レンズ装置を、光軸を通る平面で断面した状態を示している。また、図１においてはＷＩＤＥ状態（広角状態）にあるレンズ装置を示し、図２においてはＴＥＬＥ状態（望遠状態）にあるレンズ装置を示している。
【００１７】
図１において、レンズ装置１００は、略円筒形状からなる鏡筒１０１を備えている。鏡筒１０１は、略円筒形状からなる複数の円筒部材（符号を省略する）を、光軸Ｃを中心として重ね合わせることによって構成されている。複数の円筒部材は、光軸Ｃを中心として相対的に回転可能に設けられている。また、複数の円筒部材のうち一部の円筒部材は、光軸方向に相対的に変位可能に設けられている。
【００１８】
複数の円筒部材が光軸方向に相対的に変位することにより、ＷＩＤＥ状態（広角状態）からＴＥＬＥ状態（望遠状態）の間において、光軸方向における鏡筒１０１全体の長さを調整することができる。複数の円筒部材を相対的に回転可能あるいは変位可能とする構成については、カム機構などを用いて容易に実現可能であり、説明を省略する。
【００１９】
鏡筒１０１内には、複数（この実施の形態１においては６つ）のレンズ群１０２、１０３、１０４、１０５、１０６、１０７が設けられている。第１レンズ群１０２、第２レンズ群１０３、第３レンズ群１０４、第４レンズ群１０５、第５レンズ群１０６および第６レンズ群１０７は、それぞれ、第１レンズ枠１０８、第２レンズ枠１０９、第３レンズ枠１１０、第４レンズ枠１１１、第５レンズ枠１１２および第６レンズ枠１１３を備えている。第１レンズ枠１０８、第２レンズ枠１０９、第３レンズ枠１１０、第４レンズ枠１１１、第５レンズ枠１１２および第６レンズ枠１１３は、それぞれ１または複数のレンズを保持している。
【００２０】
第１レンズ群１０２、第２レンズ群１０３、第３レンズ群１０４、第４レンズ群１０５、第５レンズ群１０６および第６レンズ群１０７は、複数の円筒部材のうちの該当する円筒部材にそれぞれ保持されている。また、第１レンズ群１０２、第２レンズ群１０３、第３レンズ群１０４、第４レンズ群１０５、第５レンズ群１０６および第６レンズ群１０７は、各レンズ群１０２〜１０７を保持する円筒部材内を、光軸方向に沿って変位可能な状態で保持されている。各レンズ群１０２〜１０７を光軸方向に沿って変位可能とする構成については、公知の技術であるカム機構などを用いて容易に実現可能であり、説明を省略する。
【００２１】
鏡筒１０１の外周側には、ズームリング１１４およびフォーカスリング１１５が設けられている。ズームリング１１４およびフォーカスリング１１５は光軸Ｃを軸芯とする環状形状を有しており、光軸Ｃを中心として鏡筒１０１に対して相対的に回転可能に設けられている。ズームリング１１４およびフォーカスリング１１５は、鏡筒１０１に対してそれぞれ独立して回転することが可能とされている。
【００２２】
レンズ装置１００は、ズームリング１１４の回動に応じて該当する円筒部材を回転または変位させる。これによって、各レンズ群１０２〜１０７を、光軸方向に移動させ、広角状態から望遠状態までの間の任意の位置に位置づけることが可能となる。また、レンズ装置１００は、フォーカスリング１１５の回動に応じて該当する円筒部材を回転または変位させる。これによって、広角状態から望遠状態までの間の任意の位置において、レンズ装置１００の焦点をあわせることが可能となる。
【００２３】
第３レンズ枠１１０には、絞り機構１１６が設けられている。この実施の形態１においては、第３レンズ枠１１０によってレンズ保持筒が実現されている。絞り機構１１６は、第３レンズ枠１１０における第４レンズ群１０５側に設けられている。絞り機構１１６は、絞り開口（図４における符号２０５を参照）を形成する複数の絞り羽根１１７を備えており、複数の絞り羽根１１７を光軸Ｃを横切る方向に変位させることによって絞り開口の開口径を調整する。これによって、第３レンズ群１０４を通過して第４レンズ群１０５に入射する光量を調整することができる。
【００２４】
つぎに、絞り機構１１６について説明する。図３、図４、図５および図６は、絞り機構１１６を示す説明図である。図３は、絞り機構１１６を第４レンズ群１０５側から見た斜視状態を示している。図４は、図３に示した絞り機構１１６を分解した状態を示している。図５は、光軸Ｃを通る平面で絞り機構１１６を切断した状態を示している。図６は、絞り機構１１６の一部を示している。
【００２５】
図３、図４、図５および図６において、絞り機構１１６は、複数の絞り羽根１１７を支持する支持部材としてのカム座２０１を備えている。カム座２０１は、複数の絞り羽根１１７を間にして、第３レンズ枠１１０とは反対側に設けられている。カム座２０１は、複数の絞り羽根１１７が光軸Ｃを横切る方向に変位する際の変位位置を案内するカム２０２を備えている。
【００２６】
カム２０２は、複数の絞り羽根１１７に対応して複数設けられており、複数の絞り羽根１１７のそれぞれに設けられた突起２０３が挿入される。突起２０３は、複数の絞り羽根１１７のそれぞれからカム座２０１に向かって光軸方向に突出している。突起２０３は、各カム２０２に対して、カム２０２内をスライド可能な状態で挿入されている。
【００２７】
また、カム座２０１は、光軸方向に貫通する開口２０４を備えている。開口２０４は、複数の絞り羽根１１７が形成する絞り開口２０５の最大開口径と同等程度の開口径で開口している。カム座２０１は、カム座２０１を光軸方向に貫通するようにして第３レンズ枠１１０に螺合されるネジ２０６によって、第３レンズ枠１１０に固定される。
【００２８】
また、絞り機構１１６は、光軸Ｃを中心として回動可能な動輪３００を備えている。動輪３００は、光軸方向に貫通する開口３０１を備えた環形状からなる。動輪３００における開口３０１は、複数の絞り羽根１１７が形成する絞り開口２０５の最大開口径と同等またはそれ以上とされている。
【００２９】
動輪３００は、複数の羽根のそれぞれに設けられた図示を省略する変位軸が挿入される孔３０２を備えている。孔３０２は、複数の絞り羽根１１７のそれぞれに対応して複数設けられている。変位軸は、複数の絞り羽根１１７のそれぞれから動輪３００に向かって光軸方向に突出している。
【００３０】
変位軸を孔３０２に挿入した状態で動輪３００が回動すると、複数の絞り羽根１１７は動輪３００の回動に連れられて変位軸が光軸Ｃを中心とする円周上を移動するように変位する。このとき、複数の絞り羽根１１７に設けられた突起２０３は、動輪３００が回動することによってカム２０２内をスライドする。これによって絞り開口２０５は、動輪３００の回動方向に応じて、絞り開口２０５の開口径を大きくする方向あるいは開口径を小さくする方向に変位する。
【００３１】
動輪３００は、動輪３００の外周端から第３レンズ枠１１０側へ突出する支持片２１０を備えている。動輪３００は、平板状の板金を打ち抜き、折り曲げ加工することによって形成されている。支持片２１０は、打ち抜き加工時に動輪３００の外周側に設けた突起２０３を折り曲げ加工することによって構成されている。
【００３２】
支持片２１０の中央部には、板厚方向に支持片２１０を貫通する孔２１１が設けられている。板金部材の打ち抜きおよび折り曲げ加工によって動輪３００を形成することにより、孔２１１を備えた支持片２１０を動輪３００の形成と同時におこなうことができ、支持片２１０を動輪３００と一体成形することができる。
【００３３】
支持片２１０には、付勢部材としての引っ張りバネ２２０の一端が取り付けられる。引っ張りバネ２２０の一端は、引っ張りバネ２２０の一端に設けられたフック部３１１を支持片２１０が備えた孔２１１に係合することによって支持片２１０に取り付けられている。引っ張りバネ２２０の他端は、引っ張りバネ２２０の他端に設けられたフック部３１２を第３レンズ枠１１０に設けられたピン２３０に引っ掛けることによって、ピン２３０に取り付けられている。
【００３４】
引っ張りバネ２２０は、開口２０４から退避した状態における絞り羽根１１７の位置に光軸方向において重複する領域に設けられている。このように、絞り機構１１６の絞り羽根１１７が開口２０４から退避するために径方向に移動した際に使用される領域に、光軸方向において重複する領域に引っ張りバネ２２０を設けることによって鏡筒１０１内の限られた空間を有効に活用することができる。
【００３５】
また、引っ張りバネ２２０は、光軸方向における、保持枠によって保持するレンズ群を配置させる領域、または、保持するレンズ群と所定の間隔を有して配置される絞り機構１１６を配置させる上で必要とされる領域を活用することが好ましい。これによって、レンズ装置１００に対して要求される仕様に対して光学設計上必要となる領域であって、従来は利用されていない無駄なスペースを有効に活用することができる。
【００３６】
引っ張りバネ２２０は、支持片２１０およびピン２３０に取り付けられた状態において、第３レンズ枠１１０に設けられた凹部２４０に位置づけられる。凹部２４０は、第３レンズ枠１１０の最外周面から光軸Ｃに向かってレンズの有効径の外周側となる位置まで凹んだ形状とされている。凹部２４０は、外周側が開放されていることが好ましい。
【００３７】
たとえば、引っ張りバネ２２０を収容する凹部を光軸方向に開放するようにした場合、凹部内に収容された引っ張りバネ２２０が何らかの光を反射し、反射した光が光路内に進入して、レンズ装置１００における光学性能を低下させるおそれがある。これに対して、外周側を開放した凹部２４０とすることによって、レンズ装置１００が備える部材が原因となってレンズ装置１００における光学性能の低下を防止することができる。
【００３８】
なお、引っ張りバネ２２０を配置する箇所は、凹部２４０のように凹形状部分に限るものではない。引っ張りバネ２２０は、たとえば、四方が塞がれた空間に配置してもよいし、凹部２４０における外周側を含む６面が塞がれた空間に配置してもよいし、第３レンズ枠１１０の一部を切り欠いた断面略Ｌ字形状となる空間に配置してもよい。
【００３９】
ピン２３０は、第３レンズ枠１１０において、第３レンズ枠１１０が保持するレンズの有効径よりも外周側であってかつ第３レンズ枠１１０の外径よりも内周側に設けられている。また、ピン２３０は、第３レンズ枠１１０において第２レンズ群１０３側から第４レンズ群１０５側に向かって光軸方向に突出しており、第４レンズ群１０５側の端部が自由端とされている。フック部３１２は、第４レンズ群１０５側の端部からピン２３０に引っ掛けることによって、ピン２３０に取り付けられている。
【００４０】
第３レンズ枠１１０は、ガイド部材としての壁２５０を備えている。壁２５０は、第３レンズ枠１１０におけるレンズの有効径よりも外周側であって、かつ、第３レンズ枠１１０の外径よりも内周側に設けられている。壁２５０は、第３レンズ枠１１０の最外周面から光軸Ｃに向かってレンズの有効径の外周側となる位置まで凹んだ凹部２４０に設けられている。
【００４１】
壁２５０は、光軸方向において引っ張りバネ２２０よりも第４レンズ群１０５側に設けられており、光軸方向に沿って第４レンズ群１０５側から第２レンズ群１０３側に突出するように設けられている。壁２５０は、光軸方向における第２レンズ群１０３側の端面（壁２５０の先端）が、光軸方向におけるピン２３０の先端（自由端）よりも第２レンズ群１０３に位置するように設けられている。すなわち、壁２５０およびピン２３０は、光軸方向において一部重複するように設けられている。
【００４２】
これによって、絞り機構１１６を第３レンズ枠１１０に取り付けた状態でフック部３１２をピン２３０から取り外すためには、壁２５０によって光軸方向における位置が固定された状態にある引っ張りバネ２２０を、フック部３１２部分がピン２３０の先端（自由端）を乗り越えるように局部的に大きく変形させなくてはならない。このため、壁２５０およびピン２３０を上記のように構成することによって、フック部３１２をピン２３０から抜けにくくすることができる。
【００４３】
また、壁２５０は、第３レンズ枠１１０の外周側（光軸Ｃを中心とする円周上）において、支持片２１０よりもピン２３０の近傍に設けられている。壁２５０は、第３レンズ枠１１０の外周側（光軸Ｃを中心とする円周上）において、ピン２３０の近傍に設けられていることが好ましい。これによって、光軸方向におけるフック部３１２の移動を、ピン２３０に近い位置でおこなうことができ、より一層、フック部３１２をピン２３０から抜けにくくすることができる。
【００４４】
壁２５０は、凹部２４０内において、光軸方向における引っ張りバネ２２０の位置を規制する。壁２５０は光軸方向における第４レンズ群１０５側への引っ張りバネ２２０の移動を規制する。壁２５０は、光軸Ｃを中心とする円周に沿って第４レンズ群１０５側および第２レンズ群１０３側から交互に、光軸方向における引っ張りバネ２２０の移動を規制する。
【００４５】
また、第３レンズ枠１１０は、壁２６０を備えている。壁２６０は、光軸方向において引っ張りバネ２２０よりも第２レンズ群１０３側に設けられている。壁２６０は、光軸Ｃに直交する面内において変形（伸縮）する引っ張りバネ２２０に干渉しない位置に設けられている。
【００４６】
第３レンズ枠１１０は、ガイド部材としての壁２７０を備えている。壁２７０は、第３レンズ枠１１０の外周側（光軸Ｃを中心とする円周上）において、光軸を中心とする円の半径方向においてピン２３０よりも光軸側に設けられている。壁２７０は、凹部２４０内において第３レンズ枠１１０の外周面とピン２３０との間を連結するように設けられている。
【００４７】
壁２７０は、第３レンズ枠１１０において第２レンズ群１０３側から第４レンズ群１０５側に向かって光軸方向に突出するように設けられており、第４レンズ群１０５側の端部がピン２３０の自由端よりも第２レンズ群１０３側とされている。壁２７０は、ピン２３０の径よりも大径で形成され、外径を段階的に変化させることによって形成されている。壁２７０は、凹部２４０内に設けられている。また、壁２７０は、第３レンズ枠１１０に一体成形されている。
【００４８】
ピン２３０および壁２５０、２６０、２７０は、型抜き成形などによって、第３レンズ枠１１０と一体に成形されている。ピン２３０および壁２５０、２６０、２７０を第３レンズ枠１１０と一体に成形することにより、光路に対するピン２３０および壁２５０、２６０、２７０の位置精度を容易に確保することができ、光学性能に影響を与えることなく引っ張りバネ２２０の移動を規制することができる。
【００４９】
また、ピン２３０および壁２５０、２６０、２７０を第３レンズ枠１１０と一体に成形することにより、ピン２３０および壁２５０、２６０、２７０どうしの位置精度を容易に確保することができる。すなわち、引っ張りバネ２２０を支持するピン２３０と、引っ張りバネ２２０の移動を規制する壁２５０、２６０、２７０との位置精度を確保することにより、引っ張りバネ２２０の動作を妨げることなく引っ張りバネ２２０の移動を規制することができる。
【００５０】
上述したように、この発明にかかる実施の形態１の絞り機構１１６によれば、絞り開口を形成する複数の絞り羽根１１７を光軸Ｃを横切る方向に変位可能に支持する支持部材の一例としてのカム座２０１と、光軸Ｃを中心としてカム座２０１に対して相対的に回動可能な状態で複数の絞り羽根１１７に連結され、回動して複数の絞り羽根１１７を変位させることによって絞り開口の開口径を調整する動輪３００と、第３レンズ群１０４をなすレンズの外周側を保持するとともに光軸方向における一端側においてカム座２０１および動輪３００を支持するレンズ保持筒の一例としての第３レンズ枠１１０と、動輪３００と第３レンズ枠１１０とに連結されて複数の絞り羽根１１７を開口径を大きくする方向または小さくする方向へ付勢する付勢力を作用させる付勢部材の一例としての引っ張りバネ２２０と、を備え、引っ張りバネ２２０は、光軸方向において第３レンズ枠１１０と重複する位置であるとともに、第３レンズ枠１１０におけるレンズの有効径よりも外周側であってかつ第３レンズ枠１１０の外径よりも内周側に配置されていることを特徴とするため、絞り機構１１６および第３レンズ枠１１０の光軸方向における位置を一部重複させることができるので、絞り機構１１６の設置のために要する光軸方向における寸法を小さくすることができる。これによって、絞り機構１１６の設置位置を確保するために第３レンズ群１０４の設置位置が制限されることをなくし、光学設計の自由度の向上を図ることができる。
【００５１】
また、この発明にかかる実施の形態１の絞り機構１１６によれば、第３レンズ枠１１０におけるレンズの有効径よりも外周側に設けられて、光軸方向における引っ張りバネ２２０の位置を規制するガイド部材の一例としての壁２５０、２７０を備えたことを特徴とするため、絞り機構１１６の設置のために要する光軸方向における寸法を小さくしつつ、引っ張りバネ２２０を安定して保持することができる。これによって、光学設計の自由度の向上を図りつつ、絞り機構１１６の動作の信頼性の向上を図ることができる。
【００５２】
また、この発明にかかる実施の形態１の絞り機構１１６によれば、ガイド部材の一例としての壁２５０、２７０が、光軸方向における一端側または他端側の少なくとも一方から光軸方向における引っ張りバネ２２０の位置を規制することを特徴とするため、光軸方向における一端側および他端側の両側から引っ張りバネ２２０の位置を規制することができるので、引っ張りバネ２２０を安定して保持することができる。これによって、光学設計の自由度の向上を図りつつ、絞り機構１１６の動作の信頼性の向上を図ることができる。
【００５３】
また、この発明にかかる実施の形態１の絞り機構１１６によれば、ガイド部材の一例としての壁２５０、２７０が、光軸Ｃを中心とする円周に沿って一端側および他端側から交互に、光軸方向における引っ張りバネ２２０の位置を規制することを特徴とするため、光軸方向における両側から引っ張りバネ２２０の位置を規制することができるので、引っ張りバネ２２０を安定して保持することができる。これによって、光学設計の自由度の向上を図りつつ、絞り機構１１６の動作の信頼性の向上を図ることができる。
【００５４】
また、この発明にかかる実施の形態１のレンズ装置１００によれば、光軸方向に移動可能な光学部材の一例としての第３レンズ群１０４と、第３レンズ群１０４の光軸Ｃと同一の光軸Ｃ上に設けられた上記の絞り機構１１６と、少なくとも第３レンズ群１０４を光軸方向に移動させる移動機構と、を備えたことを特徴とするため、絞り機構１１６の設置のために要する光軸方向における寸法を小さくし、レンズ装置１００全体の光軸方向における寸法を小さくすることができる。これによって、レンズ装置１００における光学設計の自由度の向上を図ることができる。
【００５５】
また、この発明にかかる実施の形態１のレンズ装置１００によれば、第１レンズ群１０２、第２レンズ群１０３、第３レンズ群１０４、第４レンズ群１０５、第５レンズ群１０６および第６レンズ群１０７を光軸方向に移動させることによって光路長の変更が可能であることを特徴とするため、たとえばズームレンズのように望遠状態においては長い光路長を確保しつつも、広角状態や非使用状態においてはレンズ群間の距離を短くすることができる。これによって、要求される機能や性能を確保しつつ、レンズ装置１００の小型化を図ることができる。
【００５６】
また、撮像用の光電変換素子と、撮像素子に外光を入射させる上記のレンズ装置１００と、を備え、この発明にかかる実施の形態１のレンズ装置１００を備えた撮像装置とすることにより、光軸方向における寸法を小さくしたレンズ装置１００を用いて、撮像装置の小型化を図ることができる。
【００５７】
（実施の形態２）
つぎに、この発明にかかる実施の形態２の絞り機構について説明する。この発明にかかる実施の形態２においては、上述した実施の形態１と同一部分は同一符号を用いるとともに同一部分についての説明を省略する。
【００５８】
この発明にかかる実施の形態２の絞り機構においては、第３レンズ枠１１０に設けられた壁２６０をガイド部材として機能させる。壁２６０は、光軸方向において引っ張りバネ２２０よりも第２レンズ群１０３側に設けられている。また、壁２６０は、引っ張りバネ２２０が伸縮する領域内に配置されており、動輪３００を第３レンズ枠１１０に組み付けた状態における支持片２１０の孔２１１に対して、光軸方向において所定のクリアランスが保たれるように配置されている。壁２６０は、光軸方向における第２レンズ群１０３側への引っ張りバネ２２０の移動を規制する。
【００５９】
壁２６０は、第２レンズ群１０３側から光軸方向に螺合されるねじに対するねじ穴を設けるための突起であるが、このような突起をガイド部材として利用することによって、第３レンズ枠１１０に各種のガイド部材を設ける場合にも第３レンズ枠１１０の形状が過剰に複雑化することを防止しつつ、引っ張りバネ２２０を適切な位置に位置づけることができる。
【００６０】
以上説明したように、本実施の形態によれば、コイルへの通電によってマグネットを直線移動することができるので、同等なマグネットの変位量を得られる従来のアクチュエーターと比較して小型化を図ることができ、要求される駆動量を確保しつつ小型化を図ることができる。
【産業上の利用可能性】
【００６１】
以上のように、本発明にかかる絞り機構、レンズ装置および撮像装置は、絞り開口における開口径を調整可能な絞り機構、当該絞り機構を備えたレンズ装置および当該レンズ装置を備えた撮像装置に有用であり、特に、ズームレンズ機能を有するとともに非撮像時における小型化が要求される絞り機構、レンズ装置および撮像装置に適している。
【図面の簡単な説明】
【００６２】
【図１】この発明にかかる実施の形態１のレンズ装置を示す説明図（その１）である。
【図２】この発明にかかる実施の形態１のレンズ装置を示す説明図（その２）である。
【図３】絞り機構を示す説明図（その１）である。
【図４】絞り機構を示す説明図（その２）である。
【図５】絞り機構を示す説明図（その３）である。
【図６】絞り機構を示す説明図（その４）である。
【符号の説明】
【００６３】
１００  レンズ装置
１０４  第３レンズ群
１１０  第３レンズ枠
１１７  絞り羽根
２０１  カム座
２０２  カム
２３０  ピン
２４０  凹部
２５０  壁
２６０  壁
２７０  壁
【図１】
2009216927.tif 000003
【図２】
2009216927.tif 000004
【図３】
2009216927.tif 000005
【図４】
2009216927.tif 000006
【図５】
2009216927.tif 000007
【図６】
2009216927.tif 000008